(57)【要約】【課題】接着剤や粘着テープを使わずに互いにつながった複数の形象をきれいに形成することが可能である折り紙用紙の提供。【解決手段】折り紙用紙１を環状に連続して順番に並ぶ４枚正方形の紙片８によって形成し、連続して順番に並ぶ３枚の紙片８において、中央の紙片８の第１の頂点と、両隣の紙片８のうちの一方の紙片８の１個の頂点と、を、接続し、中央の紙片８の他の第２の頂点と、両隣の紙片８のうちの他方の紙片８の１個の頂点と、を、接続し、中央の紙片８の第１の頂点と第２の頂点とを、対角の位置とする。【選択図】  図１
0003152842.tif 000002
【実用新案登録請求の範囲】
【請求項１】
折り紙に用いる折り紙用紙であって、
２枚の連続する四角形の紙片からなり、一方の四角形の紙片の１個の頂点と他方の四角形の紙片の１個の頂点とが、互いに接続されていることを特徴とする折り紙用紙。
【請求項２】
折り紙に用いる折り紙用紙であって、
前端側から後端側まで連続して順番に並ぶｎ枚（ｎは３以上の自然数）の四角形の紙片からなり、
前端側からｍ枚目（ｍは、２以上、かつ、ｎ−１以下の自然数）の四角形の紙片の第１の頂点と、前端側から（ｍ−１）枚目の四角形の紙片の１個の頂点と、が、互いに接続されているとともに、前端側からｍ枚目の四角形の紙片の第２の頂点と、前端側から（ｍ＋１）枚目の四角形の紙片の１個の頂点と、が、互いに接続されており、前端側からｍ枚目の四角形の紙片において、前記第１の頂点と前記第２の頂点とが、対角の位置にあることを特徴とする折り紙用紙。
【請求項３】
折り紙に用いる折り紙用紙であって、
環状に連続して順番に並ぶｐ枚（ｐは４以上の偶数）の四角形の紙片からなり、
連続して順番に並ぶ３枚の四角形の紙片において、中央の四角形の紙片の第１の頂点と、両隣の四角形の紙片のうちの一方の四角形の紙片の１個の頂点と、が、互いに接続されているとともに、中央の四角形の紙片の第２の頂点と、両隣の四角形の紙片のうちの他方の四角形の紙片の１個の頂点と、が、互いに接続されており、中央の四角形の紙片の前記第１の頂点と前記第２の頂点とが、対角の位置にあることを特徴とする折り紙用紙。
【請求項４】
前記四角形の紙片が、すべて正方形であることを特徴とする請求項１から請求項３のうちのいずれかの請求項に記載の折り紙用紙。
【請求項５】
前記四角形の紙片をなす前記正方形が、すべて同じ大きさであることを特徴とする請求項４に記載の折り紙用紙。
【請求項６】
互いに隣接する前記四角形の紙片どうしを接続している部分が、補強されていることを特徴とする請求項１から請求項５のうちのいずれかの請求項に記載の折り紙用紙。
【考案の詳細な説明】
【技術分野】
【０００１】
折ることによって様々な形象を形成する折り紙用紙に関する。
【背景技術】
【０００２】
我が国には、古来、折り紙という伝統文化がある。一般に、四角形の紙を折り畳むことによって、様々な形象が形成される。これまでに、様々な折り紙用紙が提唱されている（例えば、特許文献１、２参照）。
【先行技術文献】
【特許文献】
【０００３】
【特許文献１】登録実用新案第３００９６７０号公報
【特許文献２】登録実用新案第３０１５１１２号公報
【考案の概要】
【考案が解決しようとする課題】
【０００４】
通常、１枚の折り紙用紙を折ることによって形成される形象の数は１個である。例えば、互いにつながっている複数羽の鶴を折り紙で形成する場合、まず、複数羽の鶴を複数枚の折り紙用紙からそれぞれ形成する。そして、できあがった鶴の羽根の先端部どうしを接着剤や粘着テープなどで接着する。しかし、鶴の羽根どうしを接着剤や粘着テープなどでつないだのでは、見た目が汚くなりやすい。
本考案は、上記問題を解決するものであり、その目的とするところは、接着剤や粘着テープを使わずに互いにつながった複数の形象をきれいに形成することを可能にする折り紙用紙を提供することである。
【課題を解決するための手段】
【０００５】
本考案は、その課題を解決するために以下のような構成をとる。請求項１の考案に係る折り紙用紙は、折り紙に用いる折り紙用紙であって、２枚の連続する四角形の紙片からなり、一方の四角形の紙片の１個の頂点と他方の四角形の紙片の１個の頂点とが、互いに接続されている。
２枚の四角形の紙片の１個の頂点どうしが、互いに接続されて、全体として１枚の折り紙用紙を形成している。互いに接続された２枚の四角形の紙片を切り離さずに、そのままそれぞれ折り、２個の形象を形成する。できあがった２個の形象は、それぞれ、互いに接続されている。
２枚の四角形の紙片から形成される２個の形象を、互いに異なる形象とすることが可能であり、また、互いに同じ形象とすることも可能である。
【０００６】
請求項２の考案に係る折り紙用紙は、折り紙に用いる折り紙用紙であって、前端側から後端側まで連続して順番に並ぶｎ枚（ｎは３以上の自然数）の四角形の紙片からなり、前端側からｍ枚目（ｍは、２以上、かつ、ｎ−１以下の自然数）の四角形の紙片の第１の頂点と、前端側から（ｍ−１）枚目の四角形の紙片の１個の頂点と、が、互いに接続されているとともに、前端側からｍ枚目の四角形の紙片の第２の頂点と、前端側から（ｍ＋１）枚目の四角形の紙片の１個の頂点と、が、互いに接続されており、前端側からｍ枚目の四角形の紙片において、前記第１の頂点と前記第２の頂点とが、対角の位置にある。
【０００７】
ｎ枚の四角形の紙片が、前端側から後端側まで連続して順番に並び、全体として１枚の折り紙用紙を形成している。前端側からｍ枚目（ｍは、２以上、かつ、ｎ−１以下の自然数）の四角形の紙片において、第１の頂点が、前端側から（ｍ−１）枚目の四角形の紙片の１個の頂点に接続されており、第１の頂点とは別の第２の頂点が、前端側から（ｍ＋１）枚目の四角形の紙片の１個の頂点と接続されている。前端側からｍ枚目の四角形の紙片の残りの他の２個の頂点は、他のいずれの四角形の紙片にも接続されていない。そして、前端側からｍ枚目の四角形の紙片において、第１の頂点と第２の頂点とは、互いに対角の位置関係にある。
【０００８】
ｎ枚の四角形の紙片を互いに切り離さずに、そのままそれぞれ折り、ｎ個の形象を形成する。でき上がったｎ個の形象は、一列に連続して順番に並び、隣接する形象どうしが互いに接続されている。
ｎ枚の四角形の紙片から形成されるｎ個の形象を、互いに異なる形象とすることが可能であり、また、互いに同じ形象とすることも可能である。
【０００９】
請求項３の考案に係る折り紙用紙は、折り紙に用いる折り紙用紙であって、環状に連続して順番に並ぶｐ枚（ｐは４以上の偶数）の四角形の紙片からなり、連続して順番に並ぶ３枚の四角形の紙片において、中央の四角形の紙片の第１の頂点と、両隣の四角形の紙片のうちの一方の四角形の紙片の１個の頂点と、が、互いに接続されているとともに、中央の四角形の紙片の第２の頂点と、両隣の四角形の紙片のうちの他方の四角形の紙片の１個の頂点と、が、互いに接続されており、中央の四角形の紙片の前記第１の頂点と前記第２の頂点とが、対角の位置にある。
【００１０】
ｐ枚の四角形の紙片が、環状に連続して順番に並び、全体として１枚の折り紙用紙を形成している。各四角形の紙片は、その両側に、隣接する四角形の紙片を１枚ずつ有する。３枚連続して順番に並ぶ四角形の紙片のうちの中央の四角形の紙片において、第１の頂点が、隣接する一方の四角形の紙片の１個の頂点に接続されており、第１の頂点とは別の第２の頂点が、隣接する他方の四角形の紙片の１個の頂点と接続されている。この中央の四角形の紙片の残りの他の２個の頂点は、他のいずれの四角形の紙片にも接続されていない。そして、いずれの四角形の紙片においても、第１の頂点と第２の頂点とは、互いに対角の位置関係にある。
【００１１】
ｑ枚の四角形の紙片を互いに切り離さずに、そのままそれぞれ折り、ｑ個の形象を形成する。でき上がったｑ個の形象は、環状に連続して順番に並び、隣接する形象どうしが互いに接続されている。
ｑ枚の四角形の紙片から形成されるｑ個の形象を、互いに異なる形象とすることが可能であり、また、互いに同じ形象とすることも可能である。
【００１２】
請求項４の考案に係る折り紙用紙は、請求項１から請求項３のうちのいずれかの請求項に記載の折り紙用紙であって、前記四角形の紙片が、すべて正方形である。
各四角形の紙片がすべて正方形であるので、各四角形の紙片を折って、例えば鶴などの形象を複数個形成することができる。複数羽の鶴を形成する場合、四角形の紙片を折って形成される鶴の羽根の先端部が、その四角形の紙片と隣接する四角形の紙片とを接続している頂点になっていれば、羽根の先端どうしが互いにつながった複数羽の鶴を形成することができる。
各四角形をなす正方形の大きさが異なっていれば、様々な大きさの複数個の形象どうしがつながった全体として１個の折り紙の作品を形成できる。
【００１３】
請求項５の考案に係る折り紙用紙は、請求項４に記載の折り紙用紙であって、前記四角形の紙片をなす前記正方形が、すべて同じ大きさである。
各四角形の紙片がすべて同じ大きさの正方形であるので、各四角形の紙片を折って、同じ大きさの形象どうしがつながった全体として１個の折り紙の作品を形成できる。
【００１４】
請求項６の考案に係る折り紙用紙は、請求項１から請求項５のうちのいずれかの請求項に記載の折り紙用紙であって、互いに隣接する前記四角形の紙片どうしを接続している部分が、補強されている。
隣接する四角形の紙片どうしを接続している部分が補強されているので、ある四角形の紙片を折る際、その紙片が隣接する四角形の紙片から千切れてしまうことを防止できる。
接続している部分の補強は、例えば、その部分の紙を他の部分より厚くすることにより可能であり、また、他の紙によって裏打ちすることによっても可能である。
【考案の効果】
【００１５】
上記のような折り紙用紙であるので、接着剤や粘着テープを使わずに互いにつながった複数の形象をきれいに形成することが可能である。
【図面の簡単な説明】
【００１６】
【図１】本考案に係る折り紙用紙の平面図である。
【図２】本考案に係る折り紙用紙を用いて形成した環状に連続して並ぶ４羽の鶴の斜視図である。
【図３】隣接して並ぶ２羽の鶴の羽根の先端部の接続状態の説明図である。
【図４】変形例に係る折り紙用紙の平面図であり、（ｉ）は第１の変形例に係る折り紙用紙の平面図、（ｉｉ）は第２の変形例に係る折り紙用紙の平面図、（ｉｉｉ）は第３の変形例に係る折り紙用紙の平面図である。
【考案を実施するための形態】
【００１７】
本考案の実施の形態を図１から図３を参照しつつ説明する。
図１に示す折り紙用紙１は、全体が１個の正方形をなしている。折り紙用紙１は時計回りに４本の辺３ａ、３ｂ、３ｃ、３ｄを有する。
折り紙用紙１は、互いに直交する２本のまっすぐな切れ目６ａ、６ｂを有する。切れ目６ａは辺３ｂと平行であり、切れ目６ｂは辺３ａと平行である。切れ目６ａ、６ｂの交点は、折り紙用紙１の中心点Ｃに一致している。
【００１８】
切れ目６ａの両端は、辺３ａ及び辺３ｃに達していない。切れ目６ａの一端と辺３ａとの間に、接続部７ａが形成されており、切れ目６ａの他端と辺３ｃとの間に、接続部７ｃが形成されている。同様に、切れ目６ｂの両端は、辺３ｂ及び辺３ｄには達していない。そして、切れ目６ｂの一端と辺３ｂとの間に、接続部７ｂが形成されており、切れ目６ｂの他端と辺３ｄとの間に、接続部７ｄが形成されている。各接続部７ａ、７ｂ、７ｃ、７ｄの紙厚は、折り紙用紙１の他の部分の紙厚よりも厚くなっており、各接続部７ａ、７ｂ、７ｃ、７ｄが補強されている。
【００１９】
折り紙用紙１は、４枚の正方形の紙片８を有する。４枚の紙片８のうちの１枚の紙片８ａは、その４本の辺が切れ目６ａ、６ｂと辺３ａ、３ｂに重なっている。４枚の紙片８のうちの１枚の紙片８ｂは、その４本の辺が切れ目６ａ、６ｂと辺３ｂ、３ｃに重なっている。４枚の紙片８のうちの１枚の紙片８ｃは、その４本の辺が切れ目６ａ、６ｂと辺３ｃ、３ｄに重なっている。４枚のうちの１枚の紙片８ｄは、その４本の辺が切れ目６ａ、６ｂと辺３ｄ、３ａに重なっている。
【００２０】
紙片８ａの１個の頂点が、接続部７ａに一致して第１の頂点をなし、紙片８ａの他の１個の頂点が、接続部７ｂに一致して第２の頂点をなしている。紙片８ｂの１個の頂点が、接続部７ｂに一致して第１の頂点をなし、紙片８ｂの他の１個の頂点が、接続部７ｃに一致して第２の頂点をなしている。紙片８ｃの１個の頂点が、接続部７ｃに一致して第１の頂点をなし、紙片８ｃの他の１個の頂点が、接続部７ｄに一致して第２の頂点をなしている。紙片８ｄの１個の頂点が、接続部７ｄに一致して第１の頂点をなし、紙片８ｄの他の１個の頂点が、接続部７ａに一致して第２の頂点をなしている。各紙片８において、第１の頂点と第２の頂点とが、それぞれ対角の位置関係にある。
【００２１】
紙片８ａの第１の頂点と紙片８ｄの第２の頂点とが接続され、紙片８ｂの第１の頂点と紙片８ａの第２の頂点とが接続され、紙片８ｃの第１の頂点と紙片８ｂの第２の頂点とが接続され、紙片８ｄの第１の頂点と紙片８ｃの第２の頂点とが接続されている。すなわち、４枚の紙片８ａ、８ｂ、８ｃ、８ｄは、環状に連続して順番に並んでいる。
【００２２】
次に、作用について説明する。
図２に示すように、４枚の紙片８をそれぞれ折って、４羽の鶴１０の形象を形成する。各紙片８を折るに際して、各鶴１０の羽根１１の先端を、各紙片８の第１の頂点と第２の頂点に一致させる（図２及び図３を参照）。なお、図３は、紙片８ａ、８ｂから形成した２羽の鶴１０を示している。
４枚の紙片８から４羽の鶴１０を折り上げると、４羽の鶴１０が環状につながり、各鶴１０の羽根１１の先端は、隣接する鶴１０と羽根１１の先端につながっている。鶴１０の羽根１１の先端は、接続部７ａ、７ｂ、７ｃ、７ｄのいずれかであって補強されている。したがって、各紙片８を折る際、鶴１０の羽根１１の先端どうしはつながったままとなり、千切れにくく、環状につながった４羽の鶴１０を形成することが容易である。
【００２３】
本考案に係る折り紙用紙を、図４（ｉ）の変形例１に示す構成とすることが可能である。変形例１に係る折り紙用紙１ａは、以下の点を除いて、上記本実施の形態に係る折り紙用紙１と同じ構成を有する。本実施の形態に係る折り紙用紙１と同じ構成のものについては、同じ符号を付し、重複する説明を省略する。
折り紙用紙１ａにおいて、切れ目６ａの一端が辺３ａに達しており、切れ目６ａの辺３ａ側の端には接続部が存在しない。
【００２４】
４枚の正方形の紙片８ａ、８ｂ、８ｃ、８ｄが順番に並んでいる。紙片８ａが前端側に位置する紙片８をなし、紙片８ｄが後端側に位置する紙片８をなす。前端側から２枚目の紙片８ｂの第１の頂点と紙片８ａの１個の頂点とが、接続部７ｂによって接続されており、紙片８ｂの第２の頂点と紙片８ｃの第１の頂点とが、接続部７ｃによって接続されている。前端側から３枚目の紙片８ｃの第２の頂点と紙片８ｄの１個の頂点とが、接続部７ｄによって接続されている。そして、紙片８ａは１個の頂点を介して紙片８ｂと接続されているだけであり、紙片８ｄは１個の頂点を介して紙片８ｃと接続されているだけである。紙片８ｂ、８ｃにおいて、それぞれの第１の頂点と第２の頂点とが、対角の位置にある。
【００２５】
この折り紙用紙１ａの４枚の紙片８をそれぞれ折って、４羽の鶴の形象を形成する。前端側の端にある紙片８ａを折るに際し、鶴の片一方の羽根の先端と、接続部７ｂの上の頂点とを一致させる。また、後端側の端にある紙片８ｄを折るに際し、鶴の片一方の羽根の先端と、接続部７ｄの上に来る頂点とを一致させる。４枚の紙片８から４羽の鶴を折り上げると、４羽の鶴が一列につながり、各鶴の羽根の先端は、隣接する鶴と羽根の先端につながっている。
【００２６】
本考案に係る折り紙用紙を、図４（ｉｉ）の変形例２に示す構成とすることが可能である。変形例１に係る折り紙用紙１ｂは、以下の点を除いて、上記本実施の形態に係る折り紙用紙１と同じ構成を有する。本実施の形態に係る折り紙用紙１と同じ構成のものについては、同じ符号を付し、重複する説明を省略する。
折り紙用紙１ｂは、全体が１個の長方形をなしており、２本の短辺４ａ、４ｃと、２本の長辺５ｂ、５ｄとを有している。折り紙用紙１ｂは、短辺４ａに平行な３本のまっすぐな切れ目６ｃ、６ｄ、６ｅを有し、切れ目６ｃ、６ｄ、６ｅが、短辺４ａ側から短辺４ｃ側に向かって順番に並んでいる。短辺４ａと切れ目６ｃとの間隔と、切れ目６ｃ、６ｄ間の間隔と、切れ目６ｄ、６ｅ間の間隔と、切れ目６ｅと短辺４ｃとの間隔とは、短辺４ａの長さに一致している。
【００２７】
切れ目６ｃ一端は、長辺５ｄに達しておらず、切れ目６ｃのこの一端と長辺５ｄとの間には、接続部７ｅが形成されている。切れ目６ｃの他端は、長辺５ｂに達している。切れ目６ｄの一端は、長辺５ｂに達しておらず、切れ目６ｄのこの一端と長辺５ｂとの間には、接続部７ｆが形成されている。切れ目６ｄの他端は、長辺５ｄに達している。切れ目６ｅ一端は、長辺５ｄに達しておらず、切れ目６ｅのこの一端と長辺５ｄとの間には、接続部７ｇが形成されている。切れ目６ｅの他端は、長辺５ｂに達している。
【００２８】
折り紙用紙１ｂは、４枚の正方形の紙片８を有する。４枚の紙片８のうちの前端側の端の１枚の紙片８ａは、その各辺が切れ目６ｃ、と短辺４ａ、長辺５ｂ、５ｄにそれぞれ重なっている。４枚の紙片８のうちの１枚の紙片８ｂは、その各辺が切れ目６ｃ、６ｄと長辺５ｂ、５ｄにそれぞれ重なっている。４枚の紙片８のうちの１枚の紙片８ｃは、その各辺が切れ目６ｄ、６ｅと長辺５ｂ、５ｄにそれぞれ重なっている。４枚のうちの後端側の端の１枚の紙片８ｄは、その各辺が切れ目６ｅと短辺４ｃ、長辺５ｂ、５ｄにそれぞれ重なっている。
【００２９】
紙片８ａの１個の頂点が、接続部７ｅの上に位置している。紙片８ｂの１個の頂点が、接続部７ｅの上に位置して第１の頂点をなし、紙片８ｂの他の１個の頂点が、接続部７ｆの上に位置して第２の頂点をなしている。紙片８ｃの１個の頂点が、接続部７ｆの上に位置して第１の頂点をなし、紙片８ｃの他の１個の頂点が、接続部７ｇの上に位置して第２の頂点をなしている。紙片８ｄの１個の頂点が、接続部７ｇの上に位置している。紙片８ｂ、８ｃにおいて、第１の頂点と第２の頂点とは、それぞれ対角の位置関係にある。
【００３０】
したがって、前端側から２枚目の紙片８ｂの第１の頂点と、紙片８ａの１個の頂点とが、接続されており、紙片８ｂの第２の頂点と、前端側から３枚目の紙片８ｃの第１の頂点とが、接続されている。紙片８ｃの第２の頂点と、紙片８ｄの１個の頂点とが、接続されている。そして、紙片８ａは１個の頂点を介して紙片８ｂと接続されているだけであり、紙片８ｄは１個の頂点を介して紙片８ｃと接続されているだけである。
【００３１】
この折り紙用紙１ｂの４枚の紙片８をそれぞれ折って、４羽の鶴の形象を形成する。前端側の端にある紙片８ａ折るに際し、鶴の片一方の羽根の先端と、接続部７ｅの上にある頂点とを一致させる。また、後端側の端にある紙片８ｄ折るに際し、鶴の片一方の羽根の先端と、接続部７ｄの上にある頂点とを一致させる。４枚の紙片８から４羽の鶴を折り上げると、４羽の鶴が一列につながり、各鶴の羽根の先端は、隣接する鶴と羽根の先端につながっている。
【００３２】
本考案に係る折り紙用紙を、図４（ｉｉｉ）の変形例３に示す構成とすることが可能である。変形例３に係る折り紙用紙１ｃは、以下の点を除いて、上記変形例２に係る折り紙用紙１ｂと同じ構成を有する。変形例２に係る折り紙用紙１ｂと同じ構成のものについては、同じ符号を付し、重複する説明を省略する。
折り紙用紙１ｃは、全体が１個の長方形をなしており、２本の短辺４ａ、４ｃと、２本の長辺５ｂ、５ｄとを有し、短辺４ａに平行な１本のまっすぐな切れ目６ｃを有する。短辺４ａは折り紙用紙１ｃの中心点Ｃを通っている。切れ目６ｃの一端は、長辺５ｄに達しておらず、切れ目６ｃのこの一端と長辺５ｄとの間には、接続部７ｅが形成されており、切れ目６ｃの他端は長辺５ｂに達している。
【００３３】
折り紙用紙１ｃは、２枚の正方形の紙片８ａ、８ｂを有する。紙片８ａは、その各辺が切れ目６ｃと短辺４ａ、長辺５ｂ、５ｄにそれぞれ重なっている。紙片８ｂは、その各辺が切れ目６ｃと短辺４ｃ、長辺５ｂ、５ｄにそれぞれ重なっている。そして、紙片８ａの１個の頂点と紙片８ｂの１個の頂点とが接続されている。
この折り紙用紙１ｃの紙片８ａ、８ｂをそれぞれ折って、２羽の鶴の形象を形成する。各鶴の片一方の羽根の先端と、接続部７ｅの上にある頂点とを一致させる。紙片８ａ、８ｂから２羽の鶴を折り上げると、２羽の鶴がつながり、各鶴の一方の羽根の先端が、互いにつながっている。
【符号の説明】
【００３４】
１、１ａ、１ｂ    折り紙用紙
３ａ、３ｂ、３ｃ、３ｄ    折り紙用紙の辺
４ａ、４ｃ    折り紙用紙の短辺
５ｂ、５ｄ    折り紙用紙の長辺
６ａ、６ｂ、６ｃ、６ｄ、６ｅ    切れ目
７ａ、７ｂ、７ｃ、７ｄ、７ｅ、７ｆ、７ｇ    接続部
８、８ａ、８ｂ、８ｃ、８ｄ    紙片
１０    鶴
１１    鶴の羽根
【図１】
0003152842.tif 000003
【図２】
0003152842.tif 000004
【図３】
0003152842.tif 000005
【図４】
0003152842.tif 000006